(57)【要約】【課題】磁力によって二つの取手を密着固定させる取手構造を提供する。【解決手段】本考案はケース、バッグ、袋の取手構造を提供する。そのケース、バッグ、袋は一つの収納本体を含み、二つの取手は収納本体の所定箇所に対面する形で装着される。本考案の特徴は二つの取手の対面する部分に磁性体を設置し、或いは、一つの取手に磁性体を、もう一つの取手に着磁体を設置し、二つの取手を寄り合わせた時に磁性体同士または磁性体及び着磁体の吸引作用によって固定效果を実現することである。これにより、二つの取手の開閉操作が簡単かつスピーディに行える。さらに、本構造における磁性体、着磁体は被覆設計により取手の内部に隠すことができるため、取手の品質及び使用時の快適感を維持することができる。【選択図】図３
0003131476.tif 000002
【実用新案登録請求の範囲】
【請求項１】
収納本体を含む取手構造であって、
前記収納本体の所定箇所に対面するように装着される二つの取手を有し、
前記二つの取手の対面する部分には磁性体が設置され、前記二つの取手は寄り合わせた時に当該磁性体の吸引作用により固定される取手構造。
【請求項２】
前記磁性体は、前記取手の内部または外部に設置される、
請求項１に記載の取手構造。
【請求項３】
前記磁性体は、軟質または硬質構造である、
請求項１に記載の取手構造。
【請求項４】
前記磁性体は、一つまたは複数設置される、
請求項１または請求項２に記載の取手構造。
【請求項５】
前記収納本体には、ショルダーストラップが装着される、
請求項１に記載の取手構造。
【請求項６】
収納本体を含む取手構造であって、
前記収納本体の所定箇所に対面するように装着される二つの取手を有し、
前記一つの取手には磁性体が設置され、前記もう一つの取手には着磁体が設置され、前記二つの取手は、寄り合わせた時に当該磁性体及び当該着磁体の吸引作用により固定される取手構造。
【請求項７】
前記磁性体と前記着磁体は、ぞれぞれ、前記取手の内部または外部に設置される、
請求項６に記載の取手構造。
【請求項８】
前記磁性体と前記着磁体は、それぞれ、軟質または硬質構造である、
請求項６または請求項７に記載の取手構造。
【請求項９】
前記磁性体と前記着磁体は、それぞれ、一つまたは複数設置される、
請求項６または請求項７に記載の取手構造。
【請求項１０】
前記収納本体には、ショルダーストラップが装着される、
請求項６に記載の取手構造。
【考案の詳細な説明】
【技術分野】
【０００１】
本考案は、取手構造に関し、具体的に、磁力によって二つの取手を密着固定させるケース、バッグ、袋の取手構造に関する。
【背景技術】
【０００２】
様々な用途に合わせて、スーツケース、ブリーフケース、収納袋等のポータブル式収納製品に手提げ、ショルダーの兼用仕様が既に開発されている。
【０００３】
ハンド、ショルダー兼用仕様のケース、バッグ、袋（以下、両用バッグと称する）構造の特徴は図１に示すように、取手１１及びショルダーストラップ１２の両方を有し、取手１１は通常両用バッグ１０の上部のファスナー部１３の両側に装着され、ショルダーストラップ１２の両側は両用バッグ１０の両サイドに設けられ、ショルダーストラップ１２は肩掛けの用途に合わせて、取手１１よりも数倍長くなっている。但し、このような従来構造では、両用バッグ１０の取手１１を握り、ハンドバッグとして使用した場合、ショルダーストラップ１２は比較的に長いため、両用バッグ１０の底部に下垂し易く（図１の矢印Ｌを参照）、ショルダーバッグとして使用した場合、取手１１が外側に下垂するというように、ハンド、ショルダーのいずれの使用方式においても、見た目が損なわれるだけでなく、下垂した取手１１やショルダーストラップ１２が周りの物品に引掛かり、転倒事故を起こし、取手１１やショルダーストラップ１２の下垂部分を掴まれ、バッグを奪われるという事故に遭遇し易い。この問題を考慮して、一部の使用者は手提げ方式で両用バッグを持つ時、ショルダーストラップ１２の下垂を防ぐため、ショルダーストラップ１２の中央部分を二つの取手１１の間に挟むという方法を用いているが、二つの取手１１の間には密着固定の設計が施されていないため、使用者が両用バッグ１０を置いた時、二つの取手１１の分離に伴い、ショルダーストラップ１２及び取手１１も分離して袋の両サイドに下垂する。
【０００４】
この欠点を改善すべく、一部の業者は図２のような両用バッグの改良構造を開発し、主に両用バッグ２０の二つの取手２１の対面する部分に一つの留めバンド２２（形状はストライプ状またはシート状、固定方式はバネホックによる止め方式もしくはマジックテープ（登録商標）による粘着方式を採用することが可能）を利用して二つの取手２１を寄せて固定すれば、二つの取手２１の間に挟まれたショルダーストラップ２３の中央部分もしっかりと固定される。ショルダーストラップ２３を使用する時は、その留めバンド２２を外して二つの取手２１を引き離せば、ショルダーストラップ２３の固定を解除することができる。そして、ショルダーストラップ２３を引っ張り出した後、再び二つの取手２１を寄せ合い、留めバンド２２を固定する。この構造により、ショルダーバッグとして使用した時、二つの取手２１の下垂を防ぐことが出来る。但し、このような既存構造には以下の問題点が存在する。
【０００５】
１、通常、両用バッグ２０を使用する時、物品の出し入れは極めて頻繁に行われるが、二つの取手２１は留めバンド２２によって固定されているため、ファスナー部２４は留めバンドに阻まれてすぐに開けることができない。そこで、使用者はまず留めバンド２２を外し、二つの取手２１を引き離してからでないと物品の出し入れを行うことができない。そして、物品の出し入れを行った後、再び留めバンド２２を固定しなければならない。このため、両用バッグ２０の使用は留めバンド２２を設置したことにより非常に不便なものとなり、その不便さに耐えられず、留めバンドを使用しない、或は留めバンド２２をカットして使わない使用者もいる。したがって、このような既存構造の設計は改良の余地があると思われる。
【０００６】
２、また、ある業者では留めバンド２２を大面積のシート状とし、二つの取手２１の中央の握り部を包んで固定するという設計を考案したが、留めバンド２２の材質は取手を確実に固定できる強度を必須条件としているため、どうしても硬めの材質を使用することになる。そうすると、二つの取手２１の上に被覆した時、取手２１部の触感は硬くなり、その握り心地も悪く感じられる。仮にストライプ状の留めバンド２２を取手２１の端に取り付けたとしても、時々手部と摩擦するため、使用者に不快感を与えることがある。
【０００７】
よって、上述の既存のハンド、ショルダー両用ケース、バッグ、袋の取手構造の問題点を改善し、より理想的かつ実用的な新規構造を開発することは消費者が待望することであり、関連業者の目指すところでもある。
【考案の開示】
【考案が解決しようとする課題】
【０００８】
本考案の目的は、磁力によって二つの取手を密着固定させる取手構造を提供することにある。
【課題を解決するための手段】
【０００９】
前述の目的を達成するために、本考案におけるケース、バッグ、袋は、一つの収納本体を含み、その取手は収納本体の所定箇所に対面する形で装着されている。本考案における技術的な特徴は、二つの取手の対面する部分に磁性体を設置する、或いは、一つの取手に磁性体を、もう一つの取手に着磁体を設置するという構造形態により、二つの取手を寄り合わせた時に磁性体同士または磁性体及び着磁体の吸引作用により固定效果を発揮できることである。
【００１０】
本考案は従来技術に比べ、以下の機能を実現できる。
【００１１】
その一は、二つの取手の結束、分離操作及びケース、バッグ、袋の二つの取手の間におけるショルダーストラップの固定、取り出し操作がよりスピーディかつ簡単に行え、実用性及び新規性を兼ね備えていることである。
【００１２】
その二は、本考案における磁性体、着磁体が取手の内部に被覆されているため、取手の握り心地及び品質を確保できることである。
【考案の効果】
【００１３】
本考案は、磁力によって二つの取手を密着固定させる取手構造を提供する。
【考案を実施するための最良の形態】
【００１４】
次に、添付した図面を参照しながら、本考案の好適な実施形態を詳細に説明する。
【００１５】
図３、図４及び図５は、本考案におけるケース、バッグ、袋の取手構造の好適な実施例を示すものである。但し、これらの実施例は説明を行うための範例であり、それに制限されるものではない。本実施例におけるハンド、ショルダー両用バッグは一つの収納本体３０を含み、取手３１は収納本体３０の上部開口３２（例えばファスナー部）の両側に対面する形で装着されており、収納本体３０の両側の間には一つのショルダーストラップ３３が装着されている。本考案の特徴は二つの取手３１の対面する部分に磁性体４０を設置し、二つの取手を寄り合わせた時に磁性体４０同士の吸引作用により固定の作用を実現したことである。
【００１６】
この実施例において、磁性体４０は図５が示すように、取手３１の内部に設置することが可能である。取手３１の表面が皮革で構成されている場合、磁性体４０を皮革表層の内部に隠蔽して設置することができる。もちろん、磁性体４０を取手３１の外部に装着することも可能である。
【００１７】
この実施例において、磁性体４０は軟質または硬質とすることが可能である。市販の磁力製品には軟質構造（例えばマグネットシート）と硬質構造（例えばマグネット棒）の両方が含まれるため、本考案における磁性体４０は軟質、硬質構造のいずれを用いても同様の効果を達成できる。
【００１８】
さらに、この実施例において、磁性体４０は単一または複数設置することが可能であり、単一設置の場合は図４が掲げるように、磁性体４０を取手３１に合わせたストライプ形状とし、複数設置の場合は図７の磁性体４０Ｂのように間隔的に設置する。
【００１９】
上述の構造、設計に基づき、本考案におけるケース、バッグ、袋の取手３１の使用状況は図５に示すように、二つの取手３１を寄せ合った時、対称的に設置されている磁性体４０同士の磁力吸着作用により固定效果が得られる（磁性体４０の磁性吸着強度による）。二つの取手３１の固定状態を解除したい時は図６に示すように、磁性体４０の磁性吸着力よりもやや大きい力で二つの取手３１を外側に引っ張れば、それらを引き離すことができる。よって、本考案は極めて簡単かつ効率の良い操作を実現し、既存構造のように面倒な留めバンドの脱着操作を行う必要はありません。
【００２０】
また、本考案における磁性体はもう一つの実施形態、即ち、左右の取手の対面する部分にそれぞれ磁性体及び着磁体（鉄片、鉄チェーン等）の構造形態を採ることが可能である。これにより、二つの取手を寄せ合った時は磁性体と着磁体の間の吸着作用により固定される。本実施例の図面の意図は前述の実施例と同じであるため、図面及び符号の掲載を省略する。
【００２１】
本考案の優れた点は、以下通りである。
【００２２】
図３に示すように、本考案の二つの取手３１の対面する部分に磁性体４０を設置する、或いは、片方に磁性体４０を、もう片方の取手３１に着磁体を設置するという斬新的な構造設計により、二つの取手３１を寄せ合った時、磁性体４０同士の磁性吸着作用により固定效果が得られる。また、図５と図６に示すように、二つの取手３１の固定状態を解除したい時は、二つの取手３１を外側に引っ張れば、それらを引き離すことができる。これにより、ハンド、ショルダー兼用仕様の二つの取手３１の結束、分離操作及びケース、バッグ、袋の二つの取手３１の間におけるショルダーストラップ３３の固定、取り出し操作がよりスピーディかつ簡単に行え、既存構造のように面倒な留めバンドの脱着操作を行う必要もなく、実用性及び新規性を兼ね備えた考案となっている。
【００２３】
また、図５に示すように、本構造における磁性体４０、着磁体を取手３１の内部に隠蔽設置しても同様な磁性吸着効果が得られるうえ、取手３１外部の握り心地にも影響を与えることなく、取手３１の品質及び使用時の快適性を維持できる。
【００２４】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２５】
【図１】従来の取手構造を示す斜視図である。
【図２】従来の他の取手構造を示す斜視図である。
【図３】本考案の好適な実施例における取手構造を示す立体図。
【図４】本考案の取手構造における二つの取手の引き離れ状態を示す図である。
【図５】本考案の取手構造における二つの取手の密着固定状態を示す図である。
【図６】本考案の取手構造における二つの取手の離脱状態を示す図である。
【図７】本考案の取手構造における磁性体の他の実施例を示す図である。
【符号の説明】
【００２６】
１０  両用バッグ
１１  取手
１２  ショルダーストラップ
１３  ファスナー部
２０  両用バッグ
２１  取手
２２  留めバンド
２３  ショルダーストラップ
２４  ファスナー部
【図１】
0003131476.tif 000003
【図２】
0003131476.tif 000004
【図３】
0003131476.tif 000005
【図４】
0003131476.tif 000006
【図５】
0003131476.tif 000007
【図６】
0003131476.tif 000008
【図７】
0003131476.tif 000009